(57)【要約】【目的】  粘着テープを剥がす際、一端に摘み代をテープカットと同時に形成し、薄手テープのほか、電気工事用に用いる丈夫で厚手のビニール粘着テープのカットもできるようにした。【構成】  カッター(8)の近傍に、引出したテープ(4)を支受頭部(51)と所定間隔を有する回動支持部材の頂部(61)で仮接着し、ハンドルバー(11)の操作によりカッターでテープをカットするときに回動支持部材(6)の頂部付近のブレードガイド面(61′)でブレードガイドし、テープカット後、回動支持部材頂部(61)が支持頭部(51)側に接近してテープ先端にループ状の摘み代(41)を形成し、ハンドルバーを原位置に戻すと、前記回動支持部材頂部もテープ仮接着面から離反して原位置に復帰し、この操作を繰り返して所定長さにカットしたテープの先端にループ状摘みを形成するテープカッターの構成。【選択図】      図１
2007055781.tif 000002
【特許請求の範囲】
【請求項１】
ロール巻きしてある粘着テープ(4)を保持するリールを回動自在に支持するリール支受部(3)を有する支持体(1)の粘着テープ引出し側の端部にカッター(8)が設けられているテープカッターにおいて、前記のカッター(8)の近傍に、引出した粘着テープ(4)を支受頭部(51)で仮接着する支受具(5)を支持体(1)に設けると共に、そのテープ支受具頭部(51)にテープカット時に当接させるための支持具(5)を支持体(1)に軸架した横軸(9)に固定し、その横軸にテープ支持具(5)の前位に配置した回動支持具(6)を支持体(1)に回動軸(7)で取付け、その回動支持具にハンドルバー(11)の基部(111)を取付け、前記支受具頭部(51)の前位置に所定の間隔(W)を保持してカッター(8)を横軸(9)に取付け、その支受具頭部(51)とカッター(8)の間に介在してテープ下面の粘着面(4′)を接受する頂部(61)を有する回動支持具(6)を支持体(1)に軸支し、且つ前記回動支持具(6)の下部軸受け基部に設けた立ち上り部材(62)の頂部(63)をハンドルバー(11)の押下具(10)に接触するように配置し、ハンドルバー(11)の押し下げ操作でテープカット時はカッター(8)のブレードガイドの役をなし、ハンドルバー(11)の戻し操作でカット部の粘着テープ端部を仮接着したままの回動支持具(6)を支受具(5)側に近接させて、テープ端部にループ状の摘み代(41)を形成するように構成したことを特徴とする粘着テープカッター。
【発明の詳細な説明】
【技術分野】
【０００１】
本発明は、一度貼付した粘着テープを剥がす際、剥離操作を円滑に行えるように、一端に摘み代（しろ）をテープカットと同時に形成でき、円滑な接着テープの剥離操作を可能にすると共に、一般の事務や家庭使うセロファンテープのような薄手のほか、電気工事用に用いるような厚手のビニール粘着テープのカットに好適なテープカッターを得ることを目的とする。
【背景技術】
【０００２】
一般に、貼着した接着テープを剥がすときに剥がし易いように当該テープの一端にループ状の摘み代を形成するテープカッターは、以下に例示するほか、多数の発明・考案が提供されて-知られている。
【特許文献１】特開２００２−２５５４３３
【特許文献２】実開平０６−０７３０２８号
【特許文献３】実開平０５−０７５２５０号
【０００３】
特許文献１は、カッター部は、支持ベースに固定される支持プレート片に可動プレート片の下端がヒンジ軸を基に回動可能に取付けられると共に、両プレート片間に可動プレート片を拡開方向に付勢する弾性体が介挿され、且つ可動プレート片に接着テープをカットするカッター刃が設けられ、テープのカット時、可動プレート片を支持プレート片側に移動させてテープの摘み代を形成した後、テープを所定寸法引出し、カットを行うことにより、摘み代の形成とテープのカットを同時に行えるようにした構成である。
【０００４】
特許文献２は、ロール状に巻かれた粘着テープを軸回りに回転自在に保持するテープカッター本体に、引出されたテープの粘着面を仮止め可能な支持面を設け、この支持面より下方に回転軸を有してテープの引出し方向に揺動する揺動アームをテープカッター本体端部側から支持面に接近するように設け、この揺動アームの自由端に切り刃を設けた構成である。
【０００５】
特許文献３は、ベースの上面に溝を設け、そこへ自由に回転出来るテープホルダーを取付け、ベース上面の端には端部側が高くなるように傾きを持たせたテープ一時保持部を設け、カッターホルダーの上部にはカッターを取り付け、テープ一時保持部の下方に取付けた軸を中心にカッターホルダーは自由に動きテープ一時保持部とカッターの間を開閉でき、カッターホルダーの下側、ベースのストッパーはテープ一時保持部とカッターの間隔を調節する構成である。
【発明の開示】
【発明が解決しようとする課題】
【０００６】
ところが、特許文献１ないし３は、ヒンジ結合で可動するプレートないしアームやカッターホルダーの頂部に設けた刃に接着テープを当てがって手指で押し下げる操作で切断する。これによって、薄手のセロハンテープの切断には適するが、電気工事のビニール粘着テープのように厚手で丈夫な粘着テープの切断には適さない。その理由は、構造上子供でも使える卓上型であるから、可動カッター刃に手指で押し下げる力には限度があり、また、無理に力を入れるとカッター刃が変形してしまう恐れがある。
【課題を解決するための手段】
【０００７】
そこで発明の課題を解決し、且つ発明の目的を達成するために本発明は、粘着テープカッターにおいて、ロール巻きしてある粘着テープを保持するリールを回動自在に支持するリール支受部を有する支持体の粘着テープ引出し側の端部にカッターが設けられているテープカッターにおいて、前記のカッターの近傍に、引出した粘着テープを支受頭部で仮接着する支受具を支持体に設けると共に、そのテープ支受具頭部にテープカット時に当接させるための支持具を支持体に軸架した横軸に固定し、その横軸にテープ支持具の前位に配置した回動支持部材を支持体で回動自在に取付け、その回動支持部材にハンドルバーの基部を取付け、前記支受具頭部の前位置に所定の間隔を保持してカッターを横軸に取付け、その支受具頭部とカッターの間に介在してテープ下面の粘着面を接受する頂部を有する回動支持部材を支持体に軸支し、且つ前記回動支持部材の下部軸受け基部に設けた立ち上り部材をハンドルバーの押下具に接触するように配置し、ハンドルバーの押し下げ操作でテープカット時はカッターのブレードガイドの役をなし、ハンドルバーの戻し操作でカット部の粘着テープ端部を仮接着したままの回動支持部材を支受具側に戻して、テープ端部にループを形成するように構成したものである。
【発明の効果】
【０００８】
本発明は上記の構成であるから、次の効果がある。すなわち、粘着テープを引出して、その引出し代をテープの支受具の頭部と当該支受具頭部と所定の間隔を有して位置する回動支持具の頂部にそれぞれ仮接着した後、カッターにより粘着テープをカットした直後、回動支持具の頂部が支受頭部に接近して、残った側の粘着テープの先端にループが形成される。このループの粘着面が外表面に露呈しない摘み代になる。
【０００９】
この状態で摘み代を摘んで、上記の段落「０００８」の動作を繰り返すことによって、先端にループ状の摘み代が形成された粘着テープが任意の長さにカットされた粘着テープが得られる。
【００１０】
次に、本発明は引出した粘着テープを当該支受頭部と所定の間隔を有して位置する回動支持具の頂部にそれぞれ仮接着し、且つテープカット時にカッターが回動支持具のブレードガイド面に沿って押し切られるから、薄いセロハンテープはもちろんのこと、電気工事に用いる丈夫で厚手のビニールテープであってもハンドルバーの少ない力で安全確実にカットすることができる。
【００１１】
これによって、所定の長さにカットされた粘着テープと共にその先端に摘み代が同時に形成することができ、封筒やポスターまたは電線束の結束貼着等の貼付個所にこの摘み代を設けた粘着テープを貼付すると、この粘着テープを剥がす際には、摘み代を指爪掛かりとして剥離操作を簡単且つ迅速に行うことができ、粘着テープの剥離の面倒臭さを解消することができる。
【発明を実施するための最良の形態】
【００１２】
ロール巻きの粘着テープの先端を摘んで任意の寸法だけ引出すと共に、当該テープの引出し代を支受頭部と当該支受頭部と所定の間隔を保持して位置する回動支持具の頂部にそれぞれ仮接着した後、ハンドルバーの操作によりカッターをカット方向に回動し、回動支持具のブレードガイド面に沿って粘着テープをカットした直後、回動支持具の頂部が支受頭部に近付いていき、残った側の粘着テープの先端に粘着面が内側に位置するループが形成され、このループテープの粘着面が表面に露呈しない摘み代になる。
【００１３】
この状態で摘み代を摘んで、上記の段落「００１２」の動作を繰り返すことによって、一端に粘着面が表面に露呈しない摘み代が形成された粘着テープが任意の長さにカットされた粘着テープが得られる。
【００１４】
次に、本発明は引出した粘着テープを当該支受頭部と所定の間隔を有して位置する回動支持具の頂部にそれぞれ仮接着し、且つテープカット時にテープロールと回動支持具の頂部との間のテープをテープ押圧具で当てテープを適度に張設してあり、且つテープカット時にカッターに回動支持具の頂部が接するように沿っていることにより、薄いセロハンテープはもちろんのこと、電気工事に用いる上部で厚手のビニールテープであっても安全容易にカットすることができる。
【００１５】
これによって、粘着テープの引出し側の端部に摘み代を同時に設けることができ、封筒やポスターまたは電線束の結束貼着等の貼付個所にこの摘み代を設けた粘着テープを貼付すると、この粘着テープを剥がす際には、ループ状摘み代を指爪掛かりとして剥離操作を行う。
【実施例】
【００１６】
次に、本発明の実施例を図面に即して説明する。１はロール巻きした粘着テープ４を保持するリール２を回動自在に支持するリール受部３を有する支持体である。
５は粘着テープ引出し側の端部側の支持体１に設けた支受頭部５1付きの支受具、６はテープ４の粘着面４′を仮接着する支受頭部５1の前方に所定の間隔Ｗをあけて頂部６1を位置させた回動支持具であり、その下部を支持体１に軸７で結合し、且つ当該回動支持部材の下部から立上がり部６2を成形してある。
【００１７】
８は回動支持具６の頂部６1に近接して回動するように支持体１の横軸に固定したカッター、９は支持体１の粘着テープの引出し方向に沿って軸受けした横軸、１０はリール支受部３と回動支持具との間において設けた回動支持具６の下部からの立上がり部材６2の上端部６3を押下するための押下具であり、基部軸受け部材１０1を横軸９に固定してある。１１は当該テープ押圧具及び押下部材を回動するための湾曲棒状のハンドルバーであり、その基部を軸受け部材１０1に固着してある。
【００１８】
１２はカッター８により粘着テープ４をカットした直後に回動支持具６を原位置に復帰するのを助勢するための引っ張りバネ、１３は支受具５の頭部５1に接するように回動させるためのテープ押さえ具であり、ステー１４を介して基部の軸受１４1を横軸９に結合してある。
【００１９】
「具体的な使用例」
（１）ロール巻きの粘着テープ４の先端を摘んで任意の寸法だけ引出して、粘着テープの引出し代を支受頭部５1と当該支受頭部と所定の間隔Ｗを有して位置する回動支持具６の頂部６1にテープの粘着面４′をそれぞれ仮接着する（図２）。
（２）この状態から、ハンドルバー１１の操作により横軸９に取付けられている軸受け部１０1と一体の押下具１０で回動支持具６の立上り頂部６3を押し下げる。このとき、当該押下具の先端は、図５に横軸９を中心に回動したとき、粘着テープに４の縁辺に接しないように設計されている。
（３）同時に横軸９に取付けられているカッター８をカット方向に回動してブレードガイド面６1′に沿って粘着テープ４をカットする。
（４）このカットした直後、上記（２）の押下具１０で立上り頂部６3を押し下げることによって、引っ張りバネ１２に抗して回動支持具６の頂部６1が支受頭部５1に近付いていき、残った側の粘着テープ４の端部に粘着面４′が内側に位置するループ状の摘み代４1が形成される。
（５）このループ状テープは、その粘着面が表面に露呈しない摘み代になる（図３）。
【００２０】
この状態で摘み代を摘んで、上記の段落「００１９」の動作を繰り返すことによって、一端に粘着面が露呈しない摘み代が形成された粘着テープが任意の長さにカットされた粘着テープが得られる（図４）。
【００２１】
次に、本発明は引出した粘着テープを当該支受部材５の支受頭部５1と所定の間隔を有して位置する回動支持具６の頂部６1に粘着面４′をそれぞれ仮接着し、且つテープカット時に横軸９に同軸で取付けられている回動支持具６・支受部材５・カッター８をハンドルバー１１の操作で簡単確実なカットとループ状の摘み代４1が形成できるることにより、薄いセロハンテープはもちろんのこと、電気工事に用いる丈夫で厚手のビニールテープであっても安全容易にカットすることができる。
【００２２】
これによって、粘着テープ４の引出し側の端部にループ状摘み代４1を同時に設けることができ、封筒やポスターまたは電線束結束貼着等の貼付個所にこの摘み代を設けた粘着テープ４を貼付すると、この粘着テープを剥がす際には、ループ状摘み代を指爪掛かりとして剥離操作を行う。
【産業上の利用可能性】
【００２３】
本発明に係るテープカッターは、従来公知の専ら薄手セロハンテープのカットのほか、丈夫で厚手のビニールテープや布製または紙製ガムテープのような電気工事用や各種業務用のテープのカットに適用することができる。
【図面の簡単な説明】
【００２４】
【図１】本発明に係るテープカッターの斜視図。
【図２】図１の手前側の支持体部材を除いた内部構造の正面図。
【図３】図２からカッターでテープをカットした後の正面図。
【図４】図３の状態からテープ先端にループ状の摘み代を摘んで前方に引出す状態を仮想線で示した正面図。
【図５】図２の側面図。
【符号の説明】
【００２５】
１……支持体
２……リール
３……リール受部
４……粘着テープ
５……テープ支受部材
５1……支受頭部
６……回動支持具
６1……回動支持具頂部
７……回動軸
８……カッター
９……横軸
１０……押下具
１１……ハンドルバー
１２……引張りバネ
１３……テープ押さえ具
１４……ステー
【図１】
2007055781.tif 000003
【図２】
2007055781.tif 000004
【図３】
2007055781.tif 000005
【図４】
2007055781.tif 000006
【図５】
2007055781.tif 000007